(57)【要約】第一アーム（１２）と第一アーム（１２）に関して旋回する第二アーム（１４）とを有する、内視鏡手術機器の末端部組立体とそれに関連する方法。各アーム（１２、１４）は、アーム（１２、１４）の末端部でニ部品からなる固定具の一部品（４０、４２）を保持するように形成される。閉鎖機構（１８）は、第一および第二アーム（１２、１４）の各々の末端部と反対側の、第一および第二アーム（１２、１４）の各々の近接端部に隣接して配置される。閉鎖機構（１８）は、アームの末端部が結合することをもたらすように第一アームおよび第二アーム（１２、１４）の少なくとも一つを閉鎖するために、第一および第二アーム（１２、１４）に関連して動くように形成される。また、作動部材は、閉鎖機構（１８）が第一および第二アーム（１２、１４）に関連して動くことをもたらすように作動可能に閉鎖機構に取り付けられる。
2004527329.tif 000002
【特許請求の範囲】
【請求項１】
内視鏡手術機器の末端部組立体において、
第一アームと前記第一アームに関して旋回する第二アームであって、前記第一アームと前記第二アームとの各々が、前記第一アームと前記第二アームとの各々の末端部でニ部品からなる固定具の一部品を保持するように形成された第一アームと第二アームと、
前記第一アームと前記第二アームとの各々の前記末端部と反対側の前記第一アームと前記第二アームとの各々の近接端部に隣接して配置される閉鎖機構であって、前記第一アームと前記第二アームとの前記末端部が結合することをもたらすように前記第一アームと前記第二アームとの少なくとも一つを閉鎖するために、前記第一アームと前記第二アームとに関連して動くように形成された閉鎖機構と、
前記閉鎖機構が前記第一アームと前記第二アームとに関連して動くことをもたらすように作動可能に前記閉鎖機構に取り付けられる作動部材とを有する、内視鏡手術機器の末端部組立体。
【請求項２】
前記作動部材はケーブルである、請求項１に記載の内視鏡手術機器の末端部組立体。
【請求項３】
前記第一アームと前記第二アームとの各々は直線状である、請求項１に記載の内視鏡手術機器の末端部組立体。
【請求項４】
前記第一アームと前記第二アームとの一つは湾曲される、請求項１に記載の内視鏡手術機器の末端部組立体。
【請求項５】
前記閉鎖機構は、前記湾曲されたアームを閉鎖するように形成される、請求項４に記載の内視鏡手術機器の末端部組立体。
【請求項６】
さらに、前記第一アームと前記第二アームとの間の旋回支軸にスプリングを有する、請求項１に記載の内視鏡手術機器の末端部組立体。
【請求項７】
前記スプリングは、前記第一アームと前記第二アームとの末端部が押し離されることをもたらす力を提供する、請求項６に記載の内視鏡手術機器の末端部組立体。
【請求項８】
前記作動部材は、前記閉鎖機構のネジ穴と交配するネジ付き端部を備える細長い部材を有する、請求項１に記載の内視鏡手術機器の末端部組立体。
【請求項９】
前記閉鎖機構はチューブを有する、請求項１に記載の内視鏡手術機器の末端部組立体。
【請求項１０】
ニ部品からなる固定具を内視鏡下で配備する組立体において、
可撓性の内視鏡と、
前記内視鏡に沿って案内されるように形成された組織固定工具と、
前記内視鏡に配置された停止機構であって、前記内視鏡に関連する位置で前記組織固定工具の前進を停止するように形成された停止機構とを有する、ニ部品からなる固定具を内視鏡下で配備する組立体。
【請求項１１】
前記停止機構はリングを有する、請求項１０に記載のニ部品からなる固定具を内視鏡下で配備する組立体。
【請求項１２】
前記組織固定工具は、
第一アームと前記第一アームに関して旋回する第二アームであって、前記第一アームと前記第二アームとの各々が、前記第一アームと前記第二アームとの各々の末端部で前記ニ部品からなる固定具の一部品を保持するように形成された第一アームと第二アームと、
前記第一アームと前記第二アームとの各々の前記末端部と反対側の前記第一アームと前記第二アームとの各々の近接端部に隣接して配置される閉鎖機構であって、前記第一アームと前記第二アームとの前記末端部が結合することをもたらすように前記第一アームと前記第二アームとの少なくとも一つを閉鎖するために、前記第一アームと前記第二アームとに関連して動くように形成された閉鎖機構と、
前記閉鎖機構が前記第一アームと前記第二アームとに関連して動くことをもたらすように作動可能に前記閉鎖機構に取り付けられる作動部材とを有する、請求項１０に記載のニ部品からなる固定具を内視鏡下で配備する組立体。
【請求項１３】
前記作動部材はケーブルである、請求項１２に記載のニ部品からなる固定具を内視鏡下で配備する組立体。
【請求項１４】
前記第一アームと前記第二アームとの各々は直線状である、請求項１２に記載のニ部品からなる固定具を内視鏡下で配備する組立体。
【請求項１５】
前記第一アームおよび前記第二アームとの一つは湾曲される、請求項１２に記載のニ部品からなる固定具を内視鏡下で配備する組立体。
【請求項１６】
前記閉鎖機構は、前記湾曲されたアームを閉鎖するように形成される、請求項１５に記載のニ部品からなる固定具を内視鏡下で配備する組立体。
【請求項１７】
さらに、前記第一アームと前記第二アームとの間の旋回支軸にスプリングを有する、請求項１２に記載のニ部品からなる固定具を内視鏡下で配備する組立体。
【請求項１８】
前記スプリングは、前記第一アームと前記第二アームとの前記末端部が押し離されることをもたらす力を提供する、請求項１７に記載のニ部品からなる固定具を内視鏡下で配備する組立体。
【請求項１９】
前記作動部材は、前記閉鎖機構のネジ穴と交配するネジ付き端部を備える細長い部材を有する、請求項１２に記載のニ部品からなる固定具を内視鏡下で配備する組立体。
【請求項２０】
前記閉鎖機構はチューブを有する、請求項１２に記載のニ部品からなる固定具を内視鏡下で配備する組立体。
【請求項２１】
さらに、前記内視鏡は、末端方向に向く第一光源および撮像システムと、前記末端方向と反対側の近接方向に向く第二光源および撮像システムとを有するハウジングを含む末端部組立体を具備する、請求項１０に記載のニ部品からなる固定具を内視鏡下で配備する組立体。
【請求項２２】
内視鏡の末端部組立体において、
末端方向に向く第一光源および撮像システムと、前記末端方向と反対側の近接端部に向く第二光源および撮像システムとを有するハウジングを具備する、内視鏡の末端部組立体。
【請求項２３】
組織を固定する方法において、
内視鏡に関して組織固定工具を適当な場所に置くために前記組織固定工具が停止機構と接触するまで、前記内視鏡に沿って前記組織固定工具を案内し、前記組織固定工具が一対のアームを有し、前記アームがニ部品からなる固定具の一部品を保持する段階と、
固定される組織のまわりに前記一対のアームを配置する段階と、
前記ニ部品からなる固定具を配備し前記組織を固定するために前記アームを閉鎖する段階とを有する、組織を固定する方法。
【請求項２４】
さらに、組織固定工具と固定される組織とに向けるために、前記内視鏡の末端部を回転することを有する、請求項２３に記載の組織を固定する方法。
【請求項２５】
さらに、末端方向に向く前記内視鏡の第一光源および撮像システムと、前記末端方向と反対側の近接方向に向く前記内視鏡の第二光源および撮像システムとを切り替える段階を有する、請求項２３に記載の組織を固定する方法。
【請求項２６】
さらに、前記アームの少なくとも一つを閉鎖し、前記アームを結合することをもたらすために、前記アームに関連して動くように閉鎖機構を作動する段階を有する、請求項２３に記載の組織を固定する方法。
【請求項２７】
前記閉鎖機構を作動することは、前記閉鎖機構に取り付けられたケーブルを引くことを有する、請求項２６に記載の組織を固定する方法。
【請求項２８】
前記閉鎖機構を作動することは、前記閉鎖機構に結合されるネジ付き端部を有するシャフトを回転することを有する、請求項２６に記載の組織を固定する方法。
【請求項２９】
前記一対のアームは前記案内される段階の間において実質的に閉鎖された形態にある、請求項２３に記載の組織を固定する方法。
【請求項３０】
さらに、前記配置する段階の前に、前記アームを開放する段階を有する、請求項２９に記載の組織を固定する方法。
【請求項３１】
組織を固定する方法において、
体の管腔を通して固定される組織へ組織固定工具を案内し、前記組織固定工具が一対のアームを有し、前記一対のアームの各々がニ部品からなる固定具の一部品を保持する段階と、
固定される前記組織のまわりに前記一対のアームを配置する段階と、
前記アームが結合し前記ニ部品からなる固定具の部品を交配し前記組織を固定することをもたすために、前記アームの少なくとも一つを閉鎖するように閉鎖機構を作動する段階とを有する、組織を固定する方法。
【請求項３２】
前記閉鎖機構を作動することは、前記閉鎖機構に取り付けられたケーブルを引くことを有する、請求項３１に記載の、組織を固定する方法。
【請求項３３】
前記閉鎖機構を作動することは、前記閉鎖機構に結合されたネジ付き端部を有する可撓性シャフトを回転することを有する、請求項３１に記載の組織を固定する方法。
【請求項３４】
前記アームは、前記案内する段階に間において、実質的に閉鎖された形態である、請求項３１に記載の組織を固定する方法。
【請求項３５】
さらに、前記配置する段階の前に、前記アームを開放する段階を有する、請求項３４に記載の組織を固定する方法。
【請求項３６】
前記案内する段階は、内視鏡に沿って前記組織固定工具を案内することを有する、請求項３１に記載の組織を固定する方法。
【発明の詳細な説明】
【技術分野】
【０００１】
本発明は、内視鏡手術機器に関する。特に、本発明は、食道への胃の経口的な陥入および胃底皺襞形成術のための可撓性機器に関する。
【背景技術】
【０００２】
胃酸が食道に入るときに胃食道逆流が生じる。食道内への酸のこの逆流は健康な人において自然に生じるが、健康な人以外の人においては、この逆流は病的状態になる可能性がある。胃食道逆流からの影響は軽度のものから重度のものの範囲にわたる。軽度の影響には、胸焼けや胸骨の後ろで経験する灼熱感が含まれる。さらに重度の影響には、例えば食道侵食、食道潰瘍、食道狭窄、上皮細胞異常（例えば、バレット食道）および／または誤嚥性肺炎のような多様な合併症が含まれる。食道内への胃酸の逆流からもたらされる生体組織におけるこれらの多様な臨床的症状および変化は、一般的に胃食道逆流症（ＧＥＲＤ）と称される。
【０００３】
健康な人においては、多くのメカニズムが胃食道逆流を防止するために寄与する。そのようなものの一つのメカニズムとして、下部食道括約筋（ＬＥＳ）の機能がある。下部食道括約筋（ＬＥＳ）は、輪状の平滑筋であり、食道の最後の４ｃｍにわたり存在する増加された環状の厚み部である。下部食道括約筋（ＬＥＳ）は、静止状態において、胃内への食道の開口部で（胃内の圧力より高い約１９９９．８Ｐａ（１５ｍｍＨｇ）から約３９９９．７Ｐａ（３０ｍｍＨｇ）の）高圧力の領域を形成する。胃の内容物が食道内へ戻ることができないように、この圧力は本質的に食道を閉鎖する。下部食道括約筋（ＬＥＳ）は、食道内の嚥下運動および蠕動性動作に反応して開放し、食物が胃内へ通過することを許可する。しかしながら、開放後、適当に機能する下部食道括約筋（ＬＥＳ）は、静止状態または閉鎖状態に戻るはずである。健康な人においては、下部食道括約筋（ＬＥＳ）の一過性の弛緩は生じ、通常、胸焼けの副次的な発作をもたらす。
【０００４】
また、胃底と食道との間で生じる理学的な（身体的な）相互作用は胃食道逆流を妨げる。胃底は、食道に対して遠位の胃の頂部に位置する胃の突出部である。無症候性の人においては、胃が食物および／またはガスで満たされるとき、胃底は食道の開口部を押圧する。このことは、胃への食道の開口部を効果的に閉鎖し、酸が食道へ逆流することを妨げる。さらに、食塊が胃酸に浸漬されるとき、胃底が拡張し食道の遠位を圧迫し虚脱することをもたらすガスを放出する。食道の管腔の虚脱は、胃酸が閉鎖された食道の管腔を通り過ぎて跳ねかえり、その有害な接触から食道の近位を保護するための空間を減ずる。
【０００５】
胃食道逆流症（ＧＥＲＤ）の人においては、一過性の下部食道括約筋（ＬＥＳ）弛緩を増加し静止間における下部食道括約筋（ＬＥＳ）の筋緊張を低下することによるか、または、食道組織が損傷に抵抗しまたは損傷後に自己修復することが不能になることによるかのいずれかにより、下部食道括約筋（ＬＥＳ）は異常に機能する。これらの症状は、しばしば過食、カフェインの摂取、チョコレートまたは脂肪性食物、喫煙、および／または、裂孔ヘルニアにより悪化される。これらの悪化するメカニズムを回避する治療は、胃食道逆流症（ＧＥＲＤ）に関連する副次的な悪影響を抑制するが、基礎疾患メカニズムを変えることはない。
【０００６】
正常な下部食道括約筋（ＬＥＳ）機能が損なわれた患者の酸逆流を妨げるための外科的手技（手術）は発展している。この手技、ニッセン（Ｎｉｓｓｅｎ）胃底皺襞形成術は、胃内への食道開口部の閉鎖を助けるために、胃底を食道に極めて接近するように運び、食道に胃底を縫合することを含む。因襲的に、この手技は観血療法として遂行されているが、腹腔鏡下手術として遂行されることもある。
【０００７】
いずれの手術においても付帯リスクは大きい。ニッセン胃底皺襞形成術は完結するためには極めて困難な手技であり、患者は長時間麻酔がかけられる。観血療法の遂行において必要な比較的に大きな切開により、比較的に多量の血液が失われ、感染のリスクが増し、術後ヘルニアの潜在性が高い。
【０００８】
腹腔鏡手技には、トロカールポート（腹壁の貫入部）のための腹壁切開術、経皮的な内視鏡下胃切開術（胃内への皮膚を通した切開）の遂行、および、ポートの設置が含まれ、ポートを通して例えばステープラ、内視鏡および食道マニピュレータ（陥入装置）が挿入される。内視鏡の視界下で、食道マニピュレータは食道の内部を胃内に引くために使用される。食道が、扇だたみの胃底とともに所定位置にあるとき、ステープラは、食道の下端部まわりの位置内へ動かされ、扇だたみの胃底が食道に留められる。この手技は、所望の胃底皺襞形成術が達成されるまで、異なった軸位置および回転位置で繰り返される。この手技は、胃を通した比較的に観血的な切開を必要とし感染のリスクを有する。腹壁の切開された場所は、例えば、胃に含まれる敗血性液体の漏出によりもたらされることが可能な敗血症のような他の悪影響のリスクをもたらす。
【０００９】
より少ない胃食道逆流症の観血的な処置（療法）においては、遠隔操作陥入装置と遠隔操作外科手術用ステープラを使用し、これらの両方が食道を通して経口的に挿入される。陥入装置が初めに挿入され、胃食道接合部を固定するために使用される。陥入装置は遠位に動かされ、固定された胃食道接合部を胃内へ引き、よって、胃食道接合部を陥入して、胃底周囲壁を元の状態に戻す。次ぎに、ステープラが経口的に挿入され、陥入された胃食道接合部へ送られ、胃底壁を留めるために使用される。ステープラ装置は、固定される組織を貫通するように十分な力を加えなければならない。
【発明の開示】
【課題を解決するための手段】
【００１０】
本発明の一つの態様に基づき、第一アームと該第一アームに関して旋回する第二アームとを有する内視鏡手術装置の末端部組立体が提供される。各アームは、アームの末端部でニ部品からなる固定具の一部品を保持するように形成される。閉鎖機構は、第一アームおよび第二アームの各々の末端部と反対側の、第一アームと第二アームとの各々の近接端部に隣接して配置される。閉鎖機構は、アームの末端部が結合することをもたらすために第一アームおよび第二アームの少なくとも一つを閉鎖するように、第一アームと第二アームとが関連して動くように形成される。また、作動部材は閉鎖部材に取り付けられ、閉鎖部材が第一アームと第二アームとに関連して動くことをもたらすように作動可能である。
【００１１】
本発明のもう一つの態様によれば、組織固定工具は内視鏡とともに利用される。内視鏡は、末端部組立体との接触をもたらし、内視鏡に沿って予定された位置に末端部組立体を停止するための停止機構を備える。
【００１２】
本発明のさらにもう一つの態様によれば、内視鏡は、二つの光源と撮像システムを有するハウジングであって、一方のシステムが末端の方向に向き、他方のシステムが末端の方向と反対側の近接方向に向くハウジングを備える。
【００１３】
本発明のもう一つの態様は、内視鏡に関して組織固定工具を適当な場所に置くために組織固定工具が停止機構と接触するまで、内視鏡に沿って組織固定工具を案内することを含む、組織を固定するための方法を含む。組織固定工具は一対のアームを有し、アームの各々はニ部品からなる固定具の一部品を保持する。操縦者は固定される組織のまわりに一対のアームを配置し、アームは、ニ部品からなる固定具を配備するために閉じられ、組織を固定する。
【００１４】
もう一つの態様によれば、本発明は、固定される組織へ体の管腔部を通して組織固定工具を案内することを含む、組織を固定するための方法を含む。組織固定工具は、一対のアームを有し、各アームはニ部品からなる固定具の一部品を保持する。一対のアームは固定される組織のまわりに配置される。閉鎖機構は、アームが結合しニ部品からなる固定具の部品が交配し組織を固定することをもたらすように、少なくとも一つのアームを閉鎖するように作動される。
【００１５】
本発明の更なる目的および利点は、一部分が以下の説明の中で述べられ、一部分が記載から明かになりうるかまたは本発明の実践により教示されうる。本発明の目的および利点は、特許請求の範囲において特に指摘された要素および組み合わせにより理解および達成されうる。前述の全体的な記載および以下の詳細な記載は、例証および説明のみのものであり、特許請求の範囲に記載されたような発明を制限するものではない。
【００１６】
本明細書の一部分に組み込まれ本明細書の一部分を構成する添付図面は、本発明の実施例を示し、記載とともに本発明の原理を説明する役割を果たす。
【発明を実施するための最良の形態】
【００１７】
本発明の現状における好適で例証的な実施例が詳細に言及され、その例が添付図面において明示される。可能な限り、同一の参照番号は、図面を通して同一のまたは同様の部分を参照するように使用される。
【００１８】
図１は、本発明の実施例に基づく組織固定適用工具１０の末端部を示す。この図面における工具１０は、完全な開放位置と、工具が組織ヒダ（襞）を固定するように固定具を配備する配備位置との間の中間位置にある。好ましくは、工具１０は、組織固定具により底壁を固定するために、内視鏡によって食道を通して経口的に挿入されることにより使用される。工具１０は、アーム１２、１４の近接端部に配置された旋回支軸点１６のまわりを旋回するように形成された一対の旋回アーム１２，１４を有する。アーム１２の真下にフランジ１１が配置される。好ましくは、フランジ１１は、（図２に示される）スリーブ３０内に配置された溝部内に適合するように形成にされる。このフランジおよび溝部は、蟻継手として図２Ａにおいては示されているが、当該技術分野で知られている任意の他の交配形態でもよい。アーム１２の末端部には、ニ部品からなる組織固定具の雌部分４０を保持するための保持機構がある。同様に、アーム１４の末端部には、ニ部品からなる組織固定具の雄部分４２を保持するための保持機構がある。固定具雌部分４０および固定具雄部分４２は、どちらの旋回アーム上にも配置されることが可能であり、本図面に開示された形態に限定する意図はない。ニ部品からなる組織固定具およびその保持機構は、当該技術分野において知られている任意の適当な組織固定具および保持機構の形をとってもよく、例えば、保持機構は多様な固定具部分を収容するための収納部を有してもよい。
【００１９】
さらに、工具１０は、旋回アーム１２、１４の近接端部の上に配置される閉鎖チューブ１８を有し、アームは旋回支軸点１６で交差する。閉鎖チューブ１８が図２に示されているような引っ込み位置にあるとき、開放位置でアーム１２、１４を正常に保持するためのスプリング力を供給するように、旋回支軸点１６でスプリング手段が配置される。好ましくは、アーム１２はチューブ１８に関する固定位置にあり、アーム１４はアーム１２に関する（図２の）開放位置から（図３の）閉鎖位置へ回転する。チューブ１８は、アーム１２、１４を収容しアーム１４の全ての回転範囲に適応するように、くぼんでいる。
【００２０】
閉鎖チューブ１８は、例えばケーブル２０のような細長いアクチュエータ（作動器具）に接続され、該ケーブル２０は、当該技術分野においてよく知られている任意の適当なタイプの（図示されていない）隣接するアクチュエータに接続され、使用者は、チューブ１８を、アーム１２、１４の上で旋回アーム１２、１４の末端部の方へ引くために、患者の外のケーブル２０の近接端部を引くか、または、患者の外のケーブル２０の近接端部を引くために隣接するアクチュエータを作動する。これは、固定具部分４０、４２が交配し組織ヒダを固定することをもたらすように、アーム１４が旋回支軸点１６でアーム１２の方へ旋回することをもたらす。アーム１２は通路１３を備え、該通路１３内に閉鎖チューブのベース部が置かれる。この通路は、閉鎖チューブ１８のベース部に提供される（図２Ａに示される）整合突出部１５と一緒に、固定具部分４０および固定具部分４２を配備するためにアーム１２およびアーム１４を結合する閉鎖動作を容易にするように閉鎖チューブが沿って動く通路を提供する。
【００２１】
好ましくは、旋回アーム１４は、閉鎖チューブ１８がより容易に閉鎖され固定具部分に十分な力を加えることができるように、図面に示されるように湾曲される。また、閉鎖チューブ１８の内部にはカム面１９が備えられ、該カム面１９は、カムとしての役割を果たすようにアーム１４と実質的に同様の形状を有し、アーム１２およびアーム１４に加えられる閉鎖力と同等以上の閉鎖力を提供する。しかし、アーム１４は、直線状または任意の他の適当な形態でもよい。さらに、アーム１２は、チューブ１８が閉鎖されるときアーム１４の方へ旋回するように配置されてもよい。工具１０の末端部の配置は、アーム上の十分な閉鎖力をもたらす高い機械的利益を提供する。
【００２２】
好ましくは、組織固定適用工具１０は、例えば本発明の実施例に基づく図２および図３に示される内視鏡２のような内視鏡と組み合わせて使用される。好ましくは、内視鏡２は、小さい直径の内視鏡であって、例えば（撮像および光源を含む）視覚性、通気性および／または操縦性のような外科的手技に必要とされる特徴を組み込んでいる内視鏡である。さらに、食道の管腔内で組織固定適用工具が内視鏡に隣接して通過することが許可されるように内視鏡の大きさを低減するために、例えば生体組織検査装置のための作業通路のような内視鏡の特徴が削除されてもよい。内視鏡２の直径は約３ｍｍであり、例えば、上部胃腸領域を照らすことを可能にする光源３を内視鏡の末端部に有する。また、内視鏡２は適当な操縦機構を有し、内視鏡の末端部は、図２および図３に示されるように胃内へ入ると１８０°回転される。
【００２３】
図４に示されているもう一つの実施例においては、内視鏡２は、代替の光源および撮像カメラの組立体６０を有する。操縦機構の使用により内視鏡を末端部で湾曲する必要はなく、内視鏡２は、ハウジング形態の光源および撮像カメラの組立体６０を末端部に有し、光源および撮像カメラの組立体は、内視鏡２が胃内に挿入されるときの前方視界と、内視鏡２が適当な位置にされると操縦者が手技を見ることを可能にするための後方視界との両方を可能にする。組立体６０は、組立体６０の末端部から離れる方へ向く標準のカメラおよび光源６２と、内視鏡２から枝分かれし手技において使用される工具の方へ向い後方（または近く）へ向く第二のカメラおよび光源６４とを有する。使用者は、患者の外の近接端部で、適当なスイッチにより前方視界と後方視界との間で撮像部および光源を切り替える。この形態は流線型の内視鏡を可能とし、操縦者が、挿入の間における前方を向く位置から手技の間における後方を向く位置へと内視鏡２の末端部をもたらすように内視鏡２の末端部の位置を変更する必要はない。
【００２４】
実施例においては、内視鏡２は、説明されるように組織固定適用工具の挿入のためのガイドワイヤーのようなガイドとして使用される。また、内視鏡２は、例えば、内視鏡２に関しての工具１０の位置を整えるために形成されたリング６の形態の図２および図３に示されるような止め具を有する。
【００２５】
操縦において、本発明の方法の実施例によれば、内視鏡２は食道を通して胃内へ経口的に挿入される。内視鏡２は、図２および図３に示されるように、撮像部および光源が、食道と胃の上側部分とを見ることができるように操縦される。もし、図４に示すような末端部組立体を有する内視鏡が使用されると、カメラおよび光源６４は胃腸管の部分を見るために作動される。次に、組織固定適用工具１０が内視鏡２に沿って食道内へ挿入される。
【００２６】
工具１０は食道を通して胃内へ挿入され、好ましくは、アーム１２、１４は閉鎖位置にある。工具１０は、工具１０が内視鏡２とその撮像部および光源の組立体とに関して適当な位置になるように、スリーブ３０の末端部の部分が内視鏡２の止めリング６と当接するまで挿入される。工具１０が所定位置にされると、チューブ１８は、アーム１４がアーム１２から離れて開放位置へ回転するように、アーム１２、１４の近接端部の方へアーム１２、１４の上を移動する。そこで、内視鏡２および工具１０は、図２に示すようにアーム１２、１４が一緒に固定される組織ヒダ５０のまわりで開口されるように、ユニットとして近くに動かされることができる。
【００２７】
挿入の間、ケーブル２０は、アーム１２、１４の上のチューブ１８が、この閉鎖位置を維持することを保持するように作動される。好ましくは、工具１０は挿入の間において閉鎖位置にあるので、スプリングは、ケーブル２０が解放されるとチューブ１８を開放位置へ付勢するように通路１３内に提供される。工具が所定の位置にされると、操縦者はケーブル２０を解放し、閉鎖チューブ１８がアーム１２、１４の末端部の方へ動くことをもたらす。チューブ１８がアーム１２、１４の末端部近くに動かされると、二つの固定具部分４０、４２が図３に示すように交配位置において結合されるまで力が加えられる。閉鎖チューブ１８がケーブル２０を引くことにより作動されると、閉鎖チューブは旋回支軸１６でのスプリングの力に対抗し、固定具部分４０、４２を交配するように旋回アーム１２、１４を結合する。
【００２８】
本発明の実施例によれば、チューブ１８はアーム１２、１４を閉鎖するための代替の組立体を有してもよい。旋回アーム１２、１４が閉鎖することをもたらすように閉鎖チューブ１８を引くために使用されるケーブル２０の代わりに、ケーブル２０は、チューブ１８のネジ穴内へ挿入されるネジ付き末端部を有する可撓性のシャフトに置き換えられてもよい。この形態においては、可撓性のシャフトは、シャフトと閉鎖チューブ１８との両方のネジ部分が、固定具部分４０、４２が交配することをもたらすために旋回アーム１２、１４の末端部の方へ閉鎖チューブ１８を引くように協働することをもたらすために、一方向に回転される。ケーブル２０は、アーム１２、１４から遠くに離れるように閉鎖チューブ１８を動かすために反対方向に回転され、アーム１２、１４は再度離れるように動くことが可能となる。チューブ１８は、アーム１２、１４の上のチューブ１８を動かす任意の他の適当な代替の作動機構を有してもよい。
【００２９】
本発明の他の実施例は、本明細書に開示された発明の詳述および実践を考慮することにより当業者に理解されうる。詳述および具体例は単なる例証であり、本発明の真の範囲および精神は特許請求の範囲の記載により指し示される。
【図面の簡単な説明】
【００３０】
【図１】本発明の実施例に基づく、固定適用工具の末端部の平面図である。
【図２】スリーブに添えられ内視鏡の上の所定の位置にある図１の固定適用工具を示す図である。
【図２Ａ】図２に示された方向から９０°回転された図２の固定適用工具の線Ａ−Ａに沿った断面図である。
【図３】外科的手技を遂行するために工具を正確に配置するための止めリングを有し、内視鏡の上の所定位置にある、図１の固定適用工具を示す図である。
【図４】組織を通して固定具を挿入する配備位置に工具がある、図２の固定適用工具と内視鏡とを示す図である。
【図５】本発明の実施例に基づく、内視鏡の末端部の平面図である。
【国際公開パンフレット】
2004527329.tif 000003
2004527329.tif 000004
2004527329.tif 000005
2004527329.tif 000006
2004527329.tif 000007
2004527329.tif 000008
2004527329.tif 000009
2004527329.tif 000010
2004527329.tif 000011
2004527329.tif 000012
2004527329.tif 000013
2004527329.tif 000014
2004527329.tif 000015
2004527329.tif 000016
2004527329.tif 000017
2004527329.tif 000018
2004527329.tif 000019
2004527329.tif 000020
2004527329.tif 000021
2004527329.tif 000022
【国際公開パンフレット（コレクトバージョン）】
2004527329.tif 000023
2004527329.tif 000024
【国際調査報告】
2004527329.tif 000025
2004527329.tif 000026
2004527329.tif 000027
2004527329.tif 000028
2004527329.tif 000029